(57)【特許請求の範囲】
【請求項１】
吸気口と、前記吸気口へ空気を供給する吸気ダクト部と、を有する筐体と、
前記吸気口を覆うフィルタを収容するフィルタ収容部であって、該フィルタ収容部の厚み方向の移動に伴って前記吸気ダクト部側へ移動することにより前記フィルタが前記吸気口を覆う閉状態から該吸気口を開放する開状態に変移するフィルタ収容部と、
前記フィルタ収容部の前記厚み方向の移動に伴って前記吸気口と前記フィルタ収容部との間に展開される予備フィルタと、
前記フィルタ収容部を前記閉状態に保持する保持部と、
を備え、
前記フィルタ収容部は、前記保持部による前記フィルタ収容部の保持が解除されることに伴って自重により前記厚み方向へ移動する、
電子機器。
【請求項２】
前記吸気口に通じるフレーム開口を有する第１フレームと、
前記フィルタ収容部を有し、前記第１フレームに対して前記厚み方向に移動する第２フレームと、
を備え、
前記予備フィルタは、前記第１フレームと前記第２フレームとの間に収納されると共に、前記第１フレームに対する前記第２フレームの前記フィルタ収容部の厚み方向の移動に伴って前記第１フレームと前記第２フレームとの間に展開される、
請求項１に記載の電子機器。
【請求項３】
前記第１フレームと前記第２フレームとの間に展開された前記予備フィルタは、前記第１フレームの前記第２フレーム側への移動に伴って前記第１フレームと前記第２フレームとの間に収納される、
請求項２に記載の電子機器。
【請求項４】
前記吸気口に通じるケース開口を有すると共に、前記ケース開口と反対側にケース収容口を有する外側ケースと、
前記フィルタ収容部と、前記フィルタ収容部から前記ケース収容口へ延出する側壁部と、を有し、前記外側ケースに収納され、前記フィルタ収容部の厚み方向に移動して前記ケース収容口から引き出される内側ケースと、
を備え、
前記予備フィルタは、前記側壁部に取り付けられ、前記内側ケースの前記厚み方向の移動に伴って前記外側ケースと前記フィルタ収容部との間に展開される、
請求項１に記載の電子機器。
【請求項５】
前記側壁部は、前記ケース開口に通じる予備通気口を有し、
前記予備フィルタは、前記予備通気口を覆う閉状態から該予備通気口を開放する開状態へ変移する、
請求項４に記載に電子機器。
【発明の詳細な説明】
【技術分野】
【０００１】
本願が開示する技術は、電子機器に関する。
【背景技術】
【０００２】
電子部品を収容すると共に電子部品を冷却するための外気を取り込む吸気口を有する筐体と、吸気口を覆うフィルタとを備える電子機器が知られている（例えば、特許文献１〜４参照）。
【先行技術文献】
【特許文献】
【０００３】
【特許文献１】特開２００３−８２７２号公報
【特許文献２】特開２００７−１１５０２０号公報
【特許文献３】実開平４−１２３５９１号公報
【特許文献４】特開平７−２３６８０５号公報
【発明の概要】
【発明が解決しようとする課題】
【０００４】
ところで、外気中の埃や塵によってフィルタが目詰まりすると、吸気口から筐体内に取り込まれる外気量が減少し、電子部品の冷却効率が低下する可能性がある。この対策として、例えば、吸気口に対してフィルタを引き戸のように横へスライドさせて吸気口を開放することが考えられる。しかしながら、この対策では、吸気口の横にフィルタの収容スペースが必要となるため、筐体が大型化する可能性がある。
【０００５】
本願が開示する技術は、一つの側面として、吸気口の横のフィルタの収容スペースを省略可能にして筐体を小型化することを目的とする。
【課題を解決するための手段】
【０００６】
本願が開示する技術では、電子機器は、吸気口と、吸気口へ空気を供給する吸気ダクト部と、を有する筐体と、吸気口を覆うフィルタを収容するフィルタ収容部と、を備える。フィルタ収容部は、当該フィルタ収容部の厚み方向の移動に伴って吸気ダクト部側へ移動することによりフィルタが吸気口を覆う閉状態から該吸気口を開放する開状態に変移する。
【発明の効果】
【０００７】
本願が開示する技術によれば、一つの側面として、吸気口の横のフィルタの収容スペースを省略可能にして筐体を小型化することができる。
【図面の簡単な説明】
【０００８】
【図１】図１は、第１実施形態に係る電子機器を収容するラックを示す斜視図である。
【図２】図２は、図１に示される電子機器を示す斜視図である。
【図３】図３は、図２に示される電子機器の縦断面図である。
【図４】図４は、図２に示されるファンユニットの分解斜視図である。
【図５Ａ】図５Ａは、フィルタユニットの動作を説明する図２の一部拡大断面図である。
【図５Ｂ】図５Ｂは、フィルタユニットの動作を説明する図２の一部拡大断面図である。
【図５Ｃ】図５Ｃは、フィルタユニットの動作を説明する図２の一部拡大断面図である。
【図６】図６は、図２に示される複数のファンユニットを示す斜視図である。
【図７Ａ】図７Ａは、図６に示されるファンユニットを示す側面図である。
【図７Ｂ】図７Ｂは、図６に示されるファンユニットを示す正面図である。
【図８Ａ】図８Ａは、図５Ｃに示される保持ピンを示す平面図である。
【図８Ｂ】図８Ｂは、図５Ｂに示される保持ピンを示す平面図である。
【図９】図９は、図５Ａに示される制御部の機能を示す機能ブロック図である。
【図１０】図１０は、図９に示される制御部を実現するハードウェアの一例を示すハードウェア構成図である。
【図１１】図１１は、図９に示される制御部の処理フローを示すフローチャートである。
【図１２】図１２は、図４に示されるファンユニットの変形例を示す分解斜視図である。
【図１３Ａ】図１３Ａは、図１２に示されるファンユニットの動作を説明する縦断面図である。
【図１３Ｂ】図１３Ｂは、図１２に示されるファンユニットの動作を説明する縦断面図である。
【図１４】図１４は、第２実施形態に係るフィルタユニットを示す斜視図である。
【図１５】図１５は、図１４に示される内側ケースを示す斜視図である。
【図１６Ａ】図１６Ａは、図１４に示されるフィルタユニットの動作を説明する図５Ａに対応する断面図である。
【図１６Ｂ】図１６Ｂは、図１４に示されるフィルタユニットの動作を説明する図５Ｂに対応する断面図である。
【図１６Ｃ】図１６Ｃは、図１４に示されるフィルタユニットの動作を説明する図５Ｃに対応する断面図である。
【図１７】図１７は、図１６Ａに示される制御部の処理フローを示すフローチャートである。
【図１８】図１８は、第３実施形態に係るフィルタユニットを示す斜視図である。
【図１９Ａ】図１９Ａは、図１８に示されるフィルタユニットの動作を説明する図５Ａに対応する断面図である。
【図１９Ｂ】図１９Ｂは、図１８に示されるフィルタユニットの動作を説明する図５Ｂに対応する断面図である。
【図１９Ｃ】図１９Ｃは、図１８に示されるフィルタユニットの動作を説明する図５Ｃに対応する断面図である。
【図２０】図２０は、第１実施形態におけるフィルタユニットの変形例を示す図６に対応する斜視図である。
【図２１Ａ】図２１Ａは、第１実施形態におけるフィルタユニットの変形例を示す図５Ａに対応する断面図である。
【図２１Ｂ】図２１Ｂは、第１実施形態におけるフィルタユニットの変形例を示す図５Ｂに対応する断面図である。
【図２１Ｃ】図２１Ｃは、第１実施形態におけるフィルタユニットの変形例を示す図５Ｃに対応する断面図である。
【図２２Ａ】図２２Ａは、第１実施形態におけるフィルタユニットの変形例を示す斜視図である。
【図２２Ｂ】図２２Ｂは、第１実施形態におけるフィルタユニットの変形例を示す斜視図である。
【発明を実施するための形態】
【０００９】
先ず、第１実施形態について説明する。
【００１０】
図１に示されるように、本実施形態に係る電子機器１０は、例えば、ラック１２に高さ方向に複数収納される。なお、図１では、ラック１２の中段に１台の電子機器１０が収納してある。
【００１１】
図２に示されるように、電子機器１０は、筐体１４と、筐体１４の上段に収容される複数の拡張装置２０と、筐体１４の下段に収容され、複数の拡張装置２０を冷却する複数のファンユニット４０とを備える。なお、図２に示される矢印Ｗは、筐体１４の幅方向を示す。また、矢印Ｆは筐体１４の前側し、矢印Ｒは筐体１４の後側を示す。さらに、矢印Ｈは、筐体１４の高さ方向（上下方向）を示す。
【００１２】
筐体１４は、箱状に形成される。この筐体１４は、図３に示されるように、発熱体収容部１４Ａと、ファン収容部１４Ｂと、吸気ダクト部１４Ｃと、排気ダクト部１４Ｄとを有する。
【００１３】
発熱体収容部１４Ａには、拡張装置２０が筐体１４の幅方向（図２の矢印Ｗ方向）に並んで複数収容される。この発熱体収容部１４Ａは、ファン収容部１４Ｂに通じる吸気口１６と、排気ダクト部１４Ｄに通じる排気口１８とを有する。吸気口１６は、発熱体収容部１４Ａの下部を下方へ開口する。つまり、本実施形態では、吸気口１６から導入された空気は、筐体１４の高さ方向（矢印Ｈ方向）に導かれる。この場合、吸気口１６の開口方向（貫通方向）は、筐体１４の高さ方向（上下方向）となる。一方、排気口１８は、発熱体収容部１４Ａの上部を上方へ開口する。
【００１４】
拡張装置２０は、例えば、伝送装置において、外部の伝送線路と接続されるラインカードである。この拡張装置２０は、基板２２を有する。基板２２には、例えば、ＣＰＵやメモリ等の複数の電子部品２４が実装される。各電子部品２４は、電力を消費することにより発熱する。また、各電子部品２４には、後述する温度センサ８８（図９参照）が取り付けられる。なお、電子部品２４は、発熱体の一例である。
【００１５】
発熱体収容部１４Ａの下方には、ファン収容部１４Ｂが設けられる。ファン収容部１４Ｂには、ファンユニット４０が筐体１４の幅方向に複数収容される。このファン収容部１４Ｂの下方には、吸気ダクト部１４Ｃが設けられる。
【００１６】
吸気ダクト部１４Ｃは、筐体１４の下部における前側を開口する外気導入口３０を有する。また、吸気ダクト部１４Ｃには、ガイド板３２が設けられる。ガイド板３２は、外気導入口３０から筐体１４の後側に向かうに従って上方へ傾斜しており、外気導入口３０から導入された空気（外気）をファン収容部１４Ｂへ案内する。
【００１７】
排気ダクト部１４Ｄは、発熱体収容部１４Ａの上方に設けられる。排気ダクト部１４Ｄは、筐体１４の上部における後側を開口する内気排出口３４を有する。この排気ダクト部１４Ｄを介して、発熱体収容部１４Ａ内の空気（熱気）が筐体１４の外部へ排出される。なお、図３には、筐体１４内に空気の流れが矢印Ｖで示される。
【００１８】
ここで、ファン収容部１４Ｂには、発熱体収容部１４Ａの吸気口１６を覆うように複数のファンユニット４０が収容される。各ファンユニット４０は、吸気ダクト部１４Ｃから空気を吸引し、吸気口１６を介して発熱体収容部１４Ａへ送出する。これにより、発熱体収容部１４Ａ内の電子部品２４が冷却される。
【００１９】
図４に示されるように、ファンユニット４０は、ファンケース４２と、冷却ファン４８と、フィルタユニット５０と、保持部８０とを備える。ファンケース４２は、箱状に形成される。
【００２０】
図５Ａに示されるように、ファンケース４２の下壁部には、吸気ダクト部１４Ｃに通じるケース入口４４が形成される。一方、ファンケース４２の上壁部には、発熱体収容部１４Ａの吸気口１６に通じる複数のケース出口４６が形成される。このファンケース４２には、冷却ファン４８が収容される。
【００２１】
冷却ファン４８は、図示しないファンモータ等を有する。このファンモータが作動すると、吸気ダクト部１４Ｃ内の空気がケース入口４４からファンケース４２内に吸引されると共に、ケース出口４６から吸気口１６を介して発熱体収容部１４Ａに送出される。
【００２２】
なお、冷却ファン４８には、後述する制御部９０が電気的に接続される。また、本実施形態では、ファンケース４２に２つの冷却ファン４８が収納されるが、冷却ファン４８の数は適宜変更可能である。
【００２３】
図４に示されるように、フィルタユニット５０は、フィルタ筐体５２と、フィルタ６０と、前面予備フィルタ７４（図５Ａ参照）と、一対の側面予備フィルタ７６とを有する。フィルタ筐体５２は、上下方向に分割される第１フレーム５４及び第２フレーム５８を有し、箱状に形成される。このフィルタ筐体５２の内部には、前面予備フィルタ７４及び一対の側面予備フィルタ７６が収納される。
【００２４】
第１フレーム５４は、天壁部５４Ｕと、側周壁部５４Ｓとを有する。天壁部５４Ｕには、ファンケース４２に通じる複数のフレーム開口５６が形成される。第２フレーム５８は、底壁部を形成するフィルタ収容部５８Ｌと、側周壁部５８Ｓとを有する。このフィルタ収容部５８Ｌには、フレーム開口５６と対向する複数の取付開口５９が形成される。
【００２５】
各取付開口５９には、網目状に形成されたフィルタ６０が取り付けられる。図５Ａに示されるように、フィルタ６０は、発熱体収容部１４Ａの吸気口１６を下側（発熱体収容部１４Ａの外側）から覆い、吸気ダクト部１４Ｃから吸気口１６へ流れる空気中の塵や埃を除去する。
【００２６】
図４に示されるように、第１フレーム５４の天壁部５４Ｕの前側及び第２フレーム５８のフィルタ収容部５８Ｌの前側には、後述する保持部８０の回転ロッド８４が挿入される係合孔６２，６４がそれぞれ形成される。係合孔６２，６４の縁部には、互いに異なる方向に延びる長溝６２Ａ，６４Ａがそれぞれ形成される。
【００２７】
また、第１フレーム５４と第２フレーム５８とは、互いに相対回動可能に連結される。具体的には、第１フレーム５４及び第２フレーム５８の後端部には、筒状のヒンジ部６６，６８がそれぞれ形成される。これらのヒンジ部６６，６８に回動軸７０を挿入することにより、第１フレーム５４と第２フレーム５８とが回動軸７０を中心として互いに相対回動可能に連結される。
【００２８】
回動軸７０は、ファンケース４２の後端部に形成された一対の軸受部７２に支持される。これにより、図５Ｂ及び図５Ｃに示されるように、第１フレーム５４及び第２フレーム５８が、回動軸７０を介してファンケース４２に支持され、フィルタ収容部５８Ｌの厚み方向（矢印Ｈ方向）に回動可能になる。そして、第２フレーム５８が回動軸７０を中心として下方へ回動すると、第２フレーム５８が発熱体収容部１４Ａの外側（下側）、すなわち吸気ダクト部１４Ｃ側へ移動する。これにより、フィルタ収容部５８Ｌは、フィルタ６０が吸気口１６を覆う閉状態（図５Ａの位置）から吸気口１６を開放する開状態（図５Ｂ及び図５Ｃの位置）へ変移する。なお、フィルタ収容部５８Ｌの厚み方向とは、例えば、フィルタ６０の吸気方向とされる。
【００２９】
図６、図７Ａ及び図７Ｂに示されるように、第１フレーム５４と第２フレーム５８との間には、予備フィルタの一例としての前面予備フィルタ７４及び一対の側面予備フィルタ７６が収容される。前面予備フィルタ７４及び一対の側面予備フィルタ７６は、網目状に形成されると共に蛇腹状に形成される。前面予備フィルタ７４は、第１フレーム５４及び第２フレーム５８の前端側（回動軸７０と反対側）に、畳まれた状態で収容され、上下の端部が第１フレーム５４及び第２フレーム５８にそれぞれ固定される。一対の側面予備フィルタ７６は、第１フレーム５４及び第２フレーム５８の側部に、畳まれた状態で収容され、上下の端部が第１フレーム５４及び第２フレーム５８にそれぞれ固定される。
【００３０】
前面予備フィルタ７４及び一対の側面予備フィルタ７６は、第１フレーム５４に対して第２フレーム５８が下方へ回動すると、第１フレーム５４と第２フレーム５８との間に展開される。また、図５Ｃに示されるように、吸気口１６に対して第１フレーム５４が第２フレーム５８側へ回動すると、第１フレーム５４と第２フレーム５８との間に前面予備フィルタ７４及び一対の側面予備フィルタ７６が収納される。なお、図５Ａ、図５Ｂ、図５Ｃでは、側面予備フィルタ７６の図示を省略している。
【００３１】
図５Ａに示されるように、保持部８０は、ロックモータ８２と、回転ロッド８４とを有する。ロックモータ８２は、例えば、ステッピングモータとされる。このロックモータ８２は、回転ロッド８４を回転駆動させる駆動装置の一例であり、ファンケース４２の前側に収納される。
【００３２】
回転ロッド８４は、ロックモータ８２から下方へ延出し、第１フレーム５４及び第２フレーム５８の係合孔６２，６４に挿入される。この回転ロッド８４は、第１フレーム５４及び第２フレーム５８をそれぞれ保持する一対の保持ピン８６Ａ，８６Ｂを有する。
【００３３】
一対の保持ピン８６Ａ，８６Ｂは、回転ロッド８４の軸方向に間隔を空けて配置されると共に、回転ロッド８４から互いに異なる方向へ突出する。図８Ａに示されるように、保持ピン８６Ａは、第１フレーム５４の係合孔６２の縁部に形成された長溝６２Ａに挿入されると共に、回転ロッド８４の回転に伴って係合孔６２の縁部に係合される。
【００３４】
一方、保持ピン８６Ｂは、保持ピン８６Ａよりも回転ロッド８４の先端側に位置する。この保持ピン８６Ｂは、図８Ｂに示されるように、第２フレーム５８の係合孔６４の縁部に形成された長溝６４Ａに挿入されると共に、回転ロッド８４の回転に伴って係合孔６４の縁部に係合される。
【００３５】
電子機器１０は、図９に示されるように、温度センサ８８及び制御部９０を備える。温度センサ８８は、拡張装置２０の各電子部品２４（図５Ａ参照）の温度を検出し、制御部９０へ出力する。なお、温度センサ８８は、温度検出部の一例である。
【００３６】
制御部９０は、コントローラ９２と、アラーム通知処理部９４と、ファン制御部９６と、フィルタ制御部９８とを有する。コントローラ９２は、温度センサ８８により検出された電子部品２４の温度（温度情報）に基づいて、アラーム通知処理部９４、ファン制御部９６、及びフィルタ制御部９８に制御信号を送信する。
【００３７】
アラーム通知処理部９４は、コントローラ９２からの制御信号に基づいて、後述する監視端末１１０（図１０参照）にアラーム情報を送信する。このアラーム情報には、例えば、フィルタ６０の交換を促すメッセージ等が含まれる。ファン制御部９６は、コントローラ９２からの制御信号に基づいて、冷却ファン４８のファンモータを作動する。フィルタ制御部９８は、コントローラ９２からの制御信号に基づいて、保持部８０のロックモータ８２を作動する。
【００３８】
制御部９０は、例えば、図１０に示されるコンピュータ１００で実現される。コンピュータ１００は、ＣＰＵ１０２、メモリ１０４、記憶部１０６、及び通信インターフェース１０８等を備える。これらのＣＰＵ１０２、メモリ１０４、記憶部１０６、及び通信インターフェース１０８は、図示しないバスを介して互いに接続される。また、コンピュータ１００には、複数の温度センサ８８、冷却ファン４８、及び保持部８０のロックモータ８２が接続される。
【００３９】
記憶部１０６は、例えば、ＨＤＤ（Hard Disk Drive）やフラッシュメモリ等で実現される。この記憶部１０６には、電子機器１０を制御する制御プログラムが記憶される。そして、ＣＰＵ１０２は、記憶部１０６から制御プログラムを読み出してメモリ１０４に展開し、後述する制御プログラムの各ステップを実行する。また、記憶部１０６には、各電子部品２４の温度の閾値ＴＭＡＸが記憶される。また、通信インターフェース１０８には、図示しないネットワークを介して監視端末１１０が接続される。
【００４０】
次に、制御部９０の動作について説明する。
【００４１】
図５Ａには、ファンユニット４０の初期状態が示される。この初期状態では、フィルタユニット５０の第１フレーム５４及び第２フレーム５８が保持部８０の保持ピン８６Ａ，８６Ｂによって図５Ａに示される状態に保持されており、フィルタ６０が吸気口１６を覆う閉状態にある。また、第１フレーム５４と第２フレーム５８との間には、前面予備フィルタ７４及び一対の側面予備フィルタ７６が畳まれた状態で収納される。
【００４２】
この状態で、制御部９０は、ファンユニット４０の冷却ファン４８を作動して発熱体収容部１４Ａの電子部品２４を冷却する。また、制御部９０は、各電子部品２４の温度Ｔを監視し、これらの電子部品２４の温度Ｔが閾値ＴＭＡＸを超えないように、ファンユニット４０を制御する。
【００４３】
なお、以下では、一例として、複数ある電子部品２４のうち１つの電子部品２４の温度Ｔを制御部９０が監視する場合について説明するが、制御部９０に複数の電子部品２４の温度Ｔを監視させても良い。また、以下の説明では、制御部９０が実行する各ステップは、図１１を参照する。
【００４４】
制御部９０は、ステップＳ１でファン制御部９６に制御信号を送信し、冷却ファン４８のファンモータを所定回転数で作動させる。これにより、図５Ａに矢印ａで示されるように、外気導入口３０から吸気ダクト部１４Ｃ内に空気（外気）が吸引される。吸気ダクト部１４Ｃに吸引された空気は、ファンユニット４０を通過して、矢印ｂで示されるように吸気口１６から発熱体収容部１４Ａに送出される。この際、空気中の塵や埃がフィルタ６０によって取り除かれる。そして、発熱体収容部１４Ａに取り込まれた空気は、排気口１８及び排気ダクト部１４Ｄを介して内気排出口３４から筐体１４の外部へ排出される。これにより、発熱体収容部１４Ａ内の各電子部品２４が冷却される。
【００４５】
ここで、空気中の塵や埃によってフィルタ６０が目詰まりすると、吸気ダクト部１４Ｃから吸気口１６へ供給される空気量が減少し、電子部品２４の冷却効率が低下する可能性がある。そこで、制御部９０は、ステップＳ２で温度センサ８８により検出された電子部品２４の温度（温度情報）Ｔを取得する。
【００４６】
次に、制御部９０は、ステップＳ３で温度センサ８８により検出された電子部品２４の温度Ｔが閾値ＴＭＡＸを超えたか否かを判定する。つまり、本実施形態では、電子部品２４の温度Ｔによって、フィルタ６０が目詰まりしたか否かを間接的に監視する。そして、電子部品２４の温度Ｔが閾値ＴＭＡＸ以下の場合（Ｔ≦ＴＭＡＸ）は、制御部９０はステップＳ２の処理を再び実行する。ここで、電子部品２４の温度Ｔを取得する処理は、たとえば、一定時間間隔で行っても良い。
【００４７】
一方、電子部品２４の温度Ｔが閾値ＴＭＡＸを超えた場合（Ｔ＞ＴＭＡＸ）は、制御部９０は、ステップＳ４でファン制御部９６へ制御信号を送信し、冷却ファン４８のファンモータの回転数を上げる。これにより、吸気ダクト部１４Ｃから吸気口１６に供給される空気量が増加するため、電子部品２４が冷却される。
【００４８】
次に、制御部９０は、ステップＳ５でアラーム通知処理部９４へ制御信号を送信し、監視端末１１０にアラーム情報を送信する。これにより、例えば、監視端末１１０のモニタに、フィルタ６０の交換を促すメッセージ等が表示される。
なお、ステップＳ４の冷却ファン４８のファンモータの回転数を上げる処理は、上げるファンモータの回転数をファンモータの最大回転数までの複数段階とし、各段階でステップＳ２，Ｓ３の処理を行う。そして、ファンモータの回転数が最大回転数に到達したらステップＳ５以降の処理に進むような制御としても良い。
【００４９】
ここで、電子機器１０の管理者によるフィルタ６０の交換等が遅れると、フィルタ６０の目詰まりが進行し、電子部品２４の温度Ｔが上昇する可能性がある。そこで、制御部９０は、ステップＳ６で温度センサ８８により検出された電子部品２４の温度Ｔを再び取得する。
【００５０】
次に、制御部９０は、ステップＳ７で温度センサ８８により検出された電子部品２４の温度Ｔが、閾値ＴＭＡＸを超えたか否かを判定する。そして、電子部品２４の温度Ｔが閾値ＴＭＡＸ以下の場合（Ｔ≦ＴＭＡＸ）は、制御部９０は、ステップＳ６の処理を再び実行する。
【００５１】
一方、電子部品２４の温度Ｔが閾値ＴＭＡＸを超えた場合（Ｔ＞ＴＭＡＸ）は、制御部９０は、ステップＳ８でフィルタ制御部９８へ制御信号を送信し、ロックモータ８２を作動させて、図５Ｂに矢印Ｋで示されるように回転ロッド８４を所定量回転させる。この回転ロッド８４の回転によって、図８Ｂに示されるように、回転ロッド８４の保持ピン８６Ｂが第２フレーム５８の係合孔６４の縁部に形成された長溝６４Ａに達すると、保持ピン８６Ｂと第２フレーム５８との係合状態が解除される。
【００５２】
これにより、図５Ｂに矢印Ｐで示されるように、第２フレーム５８が回動軸７０を中心として下方へ自重によって回動し、第２フレーム５８がガイド板３２に沿って配置される。つまり、フィルタ収容部５８Ｌは、フィルタ６０が吸気口１６を覆う閉状態（図５Ａに示す位置）から吸気口１６を開放する開状態（図５Ｂの位置）へ変移する。これにより、温度Ｔが閾値ＴＭＡＸを超えたことで目詰まりしたと想定されるフィルタ６０は、発熱体収容部１４Ａへの外気の導入には関与しなくなる。この結果、吸気ダクト部１４Ｃから吸気口１６へ供給される空気量が増加するため、電子部品２４の冷却効率の低下が抑制される。
【００５３】
また、第２フレーム５８が下方へ回動すると、第１フレーム５４と第２フレーム５８との間に前面予備フィルタ７４及び一対の側面予備フィルタ７６（図６参照）が展開される。これにより、吸気ダクト部１４Ｃから吸気口１６へ供給される空気中の塵や埃が、前面予備フィルタ７４及び一対の側面予備フィルタ７６によって取り除かれる。したがって、電子部品２４の故障等が抑制される。
【００５４】
次に、制御部９０は、ステップＳ９でアラーム通知処理部９４へ制御信号を送信し、監視端末１１０にアラーム情報を送信する。これにより、例えば、監視端末１１０のモニタに、前面予備フィルタ７４等が展開された旨のメッセージ等が表示される。
【００５５】
ここで、時間の経過に伴い、空気中の塵や埃によって前面予備フィルタ７４及び一対の側面予備フィルタ７６が目詰まりすると、吸気ダクト部１４Ｃから吸気口１６へ供給される空気量が減少し、電子部品２４の温度Ｔが上昇する可能性がある。そこで、制御部９０は、ステップＳ１０で温度センサ８８により検出された電子部品２４の温度Ｔを再び取得する。
【００５６】
次に、制御部９０は、ステップＳ１１で温度センサ８８により検出された電子部品２４の温度Ｔが閾値ＴＭＡＸを超えたか否かを判定する。そして、電子部品２４の温度Ｔが閾値ＴＭＡＸ以下の場合（Ｔ≦ＴＭＡＸ）は、制御部９０はステップＳ１０の処理を再び実行する。
【００５７】
一方、電子部品２４の温度Ｔが閾値ＴＭＡＸを超えた場合（Ｔ＞ＴＭＡＸ）は、制御部９０は、ステップＳ１２でフィルタ制御部９８へ制御信号を送信し、ロックモータ８２を作動させて、図５Ｃに矢印Ｋで示されるように、回転ロッド８４を所定量回転させる。この回転ロッド８４の回転によって、図８Ａに示されるように、回転ロッド８４の保持ピン８６Ａが第１フレーム５４の係合孔６２の縁部に形成された長溝６２Ａに達すると、保持ピン８６Ａと第１フレーム５４との係合状態が解除される。
【００５８】
これにより、第１フレーム５４が回動軸７０を中心として下方へ自重によって回動し、第１フレーム５４が第２フレーム５８側へ移動する。この結果、第１フレーム５４と第２フレーム５８との間に、前面予備フィルタ７４及び一対の側面予備フィルタ７６が畳まれた状態で収納され、吸気口１６が開放される。これにより、吸気ダクト部１４Ｃから吸気口１６へ供給される空気量が増加するため、電子部品２４の冷却効率の低下が抑制される。
【００５９】
次に、制御部９０は、ステップＳ１３でアラーム通知処理部９４へ制御信号を送信し、監視端末１１０にアラーム情報を送信する。これにより、例えば、監視端末１１０のモニタに、前面予備フィルタ７４等が収納された旨のメッセージ等が表示される。
【００６０】
次に、第１実施形態の効果について説明する。
【００６１】
以上説明したように、本実施形態によれば、フィルタ６０がフィルタ収容部５８Ｌの厚み方向（矢印Ｈ方向）に移動することにより、吸気口１６が開放される。ここで、例えば、引き戸のように吸気口１６に対してフィルタ６０を横（例えば、筐体１４の前後方向）へスライドさせる構成では、吸気口１６の横にフィルタ６０の収容スペースが必要になる。
【００６２】
これに対して本実施形態では、フィルタ収容部５８Ｌは、当該フィルタ収容部５８Ｌの厚み方向の移動に伴って吸気ダクト部１４Ｃ側へ移動する。これにより、吸気口１６が開放される。したがって、吸気口１６の横のフィルタ６０の収容スペースを省略することができるため、筐体１４を前後方向に小型化することができる。
【００６３】
また、本実施形態では、吸気口１６に対してフィルタ６０を横へスライドさせる構成と比較して、吸気口１６を開放するためのフィルタ６０の移動量が小さくなる。したがって、発熱体収容部１４Ａの高さ方向の小型化を図ることができる。さらに、フィルタ６０は、吸気口１６に対して発熱体収容部１４Ａの外側（吸気ダクト部１４Ｃ側）へ移動する。したがって、発熱体収容部１４Ａ内のフィルタ６０の収容スペースを省略することができるため、発熱体収容部１４Ａを高さ方向にさらに小型化することができる。
【００６４】
また、本実施形態では、第１フレーム５４に対して第２フレーム５８及びフィルタ６０を自重によりフィルタ収容部５８Ｌの厚み方向へ移動させる。したがって、フィルタ６０の移動機構を単純化することができる。
【００６５】
さらに、フィルタ収容部５８Ｌは、開状態においてガイド板３２に沿って配置される。したがって、フィルタ収容部５８Ｌを閉状態から開状態へ変移させても、吸気ダクト部１４Ｃの空気の流れに対する悪影響が小さくなる。
【００６６】
しかも、本実施形態では、第１フレーム５４に対して第２フレーム５８が下方へ回動すると、第１フレーム５４と第２フレーム５８との間に前面予備フィルタ７４及び一対の側面予備フィルタ７６が展開される。そのため、前面予備フィルタ７４及び一対の側面予備フィルタ７６によって、吸気ダクト部１４Ｃから吸気口１６へ供給される空気中の塵や埃等が除去される。したがって、電子部品２４の故障等を抑制することができる。
【００６７】
また、吸気口１６に対して第１フレーム５４がフィルタ収容部５８Ｌ側（開状態側）へ移動すると、第１フレーム５４と第２フレーム５８との間に前面予備フィルタ７４及び一対の側面予備フィルタ７６が収納され、吸気口１６が開放される。したがって、前面予備フィルタ７４及び一対の側面予備フィルタ７６が目詰まりしても、電子部品２４の冷却効率の低下を低減することができる。
【００６８】
次に、第１実施形態の変形例について説明する。
【００６９】
図１２に示されるように、例えば、ガイド板３２には、第１フレーム５４及び第２フレーム５８の移動をガイドするガイド溝１１６を設けても良い。具体的には、ガイド板３２には、吸気ダクト部１４Ｃを筐体１４の幅方向（矢印Ｗ方向）に仕切る一対の仕切板１１２が設けられる。一対の仕切板１１２の後端側には、回動軸７０の軸受部１１４が設けられる。
【００７０】
一方、一対の仕切板１１２の前端側には、ガイド溝１１６がそれぞれ設けられる。これらのガイド溝１１６には、第１フレーム５４及び第２フレーム５８に設けられたスライドピン１１８，１２０がそれぞれ挿入される。そして、例えば、図１３Ａ及び図１３Ｂに示されるように、第１フレーム５４に対して第２フレーム５８が回動軸７０を中心として下方へ回動すると（矢印Ｐ）、ガイド溝１１６に沿ってスライドピン１２０が下方へスライドする。
【００７１】
このようにガイド溝１１６によって第２フレーム５８の移動をガイドすることにより、第１フレーム５４と第２フレーム５８との間に前面予備フィルタ７４が展開し易くなる。また、ガイド溝１１６によって第１フレーム５４の移動をガイドすることにより、第１フレーム５４と第２フレーム５８との間に前面予備フィルタ７４を収納し易くなる。
【００７２】
さらに、本変形例では、仕切板１１２によって吸気ダクト部１４Ｃを筐体１４の幅方向に仕切ることにより、一対の側面予備フィルタ７６（図６参照）を省略することができる。
【００７３】
次に、第２実施形態について説明する。なお、第１実施形態と同じ構成のものには同符号を付して説明を省略する。
【００７４】
図１４及び図１５に示されるように、第２実施形態に係るフィルタユニット１３０は、外側ケース１３２と、冷却ファン４８と、内側ケース１４０と、保持部８０とを備える。外側ケース１３２は、箱状に形成される。この外側ケース１３２に、冷却ファン４８が収納される。
【００７５】
図１６Ａに示されるように、外側ケース１３２の上壁部１３２Ｕには、発熱体収容部１４Ａの吸気口１６に通じる複数のケース開口１３４が形成される。一方、外側ケース１３２におけるケース開口１３４と反対側には、内側ケース１４０を収容するケース収容口１３６が形成される。
【００７６】
内側ケース１４０は、外側ケース１３２に収納される。この内側ケース１４０は、図１５及び図１６Ａに示されるように、底壁部を形成するフィルタ収容部１４０Ｌと、一対の側壁部１４０Ｓとを有する。フィルタ収容部１４０Ｌには、ケース開口１３４と対向する複数の取付開口１４２が形成される。各取付開口１４２には、フィルタ６０が取り付けられる。フィルタ６０は、吸気口１６を下側（発熱体収容部１４Ａの外側）から覆い、吸気ダクト部１４Ｃから吸気口１６へ流れる空気中の塵や埃を除去する。
【００７７】
また、フィルタ収容部１４０Ｌの前側には、保持部８０の回転ロッド８４が挿入される係合孔１４４が形成される。係合孔１４４の縁部には、回転ロッド８４の先端側の保持ピン８４Ａが挿入される長溝１４４Ａが形成される。なお、本実施形態では、上記第１実施形態と異なり、回転ロッド８４に１つの保持ピン８６Ａが設けられる。
【００７８】
図１５に示されるように、一対の側壁部１４０Ｓは、フィルタ収容部１４０Ｌからケース収容口１３６へ延出すると共に筐体１４の幅方向に互いに対向しており、吸気ダクト部１４Ｃを筐体１４の幅方向に仕切る。この一対の側壁部１４０Ｓの外面には、外側ケース１３２の側壁部１３２Ｓに形成されたガイド溝１４６（図１４参照）に挿入されるガイドピン１４８が設けられる。
【００７９】
内側ケース１４０の一対の側壁部１４０Ｓの前端部の間には、ケース開口１３４に通じる予備通気口１５０が形成される。この一対の側壁部１４０Ｓには、前面予備フィルタ７４が取り付けられる。この前面予備フィルタ７４は、予備通気口１５０を覆う閉状態から予備通気口１５０を開放する開状態へ変移する。
【００８０】
具体的には、一対の側壁部１４０Ｓには、上下方向に延びるガイドレール１５２が形成される。このガイドレール１５２には、スライドロッド１５４が挿入される。スライドロッド１５４には、前面予備フィルタ７４の一端部（上端部）が取り付けられる。このスライドロッド１５４がガイドレール１５２に沿って上下方向にスライドすることにより、前面予備フィルタ７４が予備通気口１５０を覆う閉状態（図１６Ｂの状態）から予備通気口１５０を開放する開状態（図１６Ｃの状態）へ変移する。なお、前面予備フィルタ７４の他端部（下端部）は、内側ケース１４０のフィルタ収容部１４０Ｌに取り付けられる。
【００８１】
また、一対の側壁部１４０Ｓには、スライドロッド１５４の両端部を保持する一対の電磁石１５６が設けられる。一対の電磁石１５６は通電されることにより磁力を発生し、スライドロッド１５４の両端部を吸着する。なお、スライドロッド１５４は、例えば、金属等の磁性体で形成される。また、一対の電磁石１５６には、制御部１６０（図１６Ａ参照）が電気的に接続される。制御部１６０は、一対の電磁石１５６に対する通電を制御する。
【００８２】
図１６Ａに示されるように、内側ケース１４０は、後端側に設けられた回動軸７０を介して外側ケース１３２に支持される。そして、内側ケース１４０が回動軸７０を中心として下方へ回動すると、内側ケース１４０が発熱体収容部１４Ａの外側（吸気ダクト部１４Ｃ側）へ移動する。これにより、フィルタ収容部１４０Ｌは、フィルタ６０が吸気口１６を覆う閉状態（図１６Ａの位置）から吸気口１６を開放する開状態（図１６Ｂ及び図１６Ｃの位置）へ変移する。
【００８３】
また、内側ケース１４０が回動軸７０を中心として下方へ回動すると、外側ケース１３２に収納されていた前面予備フィルタ７４が露出する。つまり、内側ケース１４０が回動軸７０を中心として下方へ回動すると、外側ケース１３２と内側ケース１４０のフィルタ収容部１４０Ｌとの間に前面予備フィルタ７４が展開される。これにより、前面予備フィルタ７４で覆われた予備通気口１５０を介して、吸気ダクト部１４Ｃから吸気口１６に空気が供給される。
【００８４】
次に、制御部１６０の動作について説明する。
【００８５】
図１６Ａには、フィルタユニット１３０の初期状態が示される。この初期状態では、内側ケース１４０が外側ケース１３２に収納された状態で保持部８０の保持ピン８４Ａによって保持されており、フィルタ６０が吸気口１６を覆う閉状態にある。また、通電された一対の電磁石１５６によってスライドロッド１５４が保持されており、前面予備フィルタ７４が予備通気口１５０を覆う閉状態にある。
【００８６】
この状態で、制御部１６０は、フィルタユニット１３０の冷却ファン４８を作動して発熱体収容部１４Ａ内の電子部品２４を冷却する。また、制御部１６０は、各電子部品２４の温度Ｔを監視し、これらの電子部品２４の温度Ｔが閾値ＴＭＡＸを超えないように、フィルタユニット１３０を制御する。なお、以下の説明では、制御部１６０が実行する各ステップは、図１７を参照する。
【００８７】
制御部１６０は、ステップＳ３１でフィルタユニット１３０の冷却ファン４８を所定回転数で作動する。これにより、図１６Ａに矢印ａで示されるように、外気導入口３０から吸気ダクト部１４Ｃ内に空気（外気）が吸引される。吸気ダクト部１４Ｃに吸引された空気は、フィルタユニット１３０を通過して、矢印ｂで示されるように吸気口１６から発熱体収容部１４Ａに送出される。この際、空気中の塵や埃がフィルタ６０によって取り除かれる。
【００８８】
次に、制御部１６０は、ステップＳ３２で温度センサ８８（図９参照）により検出された電子部品２４の温度Ｔを取得する。次に、制御部１６０は、ステップＳ３３で温度センサ８８により検出された電子部品２４の温度Ｔが閾値ＴＭＡＸを超えたか否かを判定する。そして、電子部品２４の温度Ｔが閾値ＴＭＡＸ以下の場合（Ｔ≦ＴＭＡＸ）は、制御部１６０はステップＳ３２の処理を再び実行する。
【００８９】
一方、電子部品２４の温度Ｔが閾値ＴＭＡＸを超えた場合（Ｔ＞ＴＭＡＸ）は、制御部１６０は、ステップＳ３４でロックモータ８２を作動させ、図１６Ｂに矢印Ｋで示されるように回転ロッド８４を所定量回転させる。この回転ロッド８４の回転に伴って、回転ロッド８４の保持ピン８６Ａが内側ケース１４０の係合孔１４４の縁部に形成された長溝１４４Ａ（図１５参照）に達すると、保持ピン８６Ａと内側ケース１４０との係合状態が解除される。
【００９０】
これにより、内側ケース１４０は、回動軸７０を中心として自重により下方へ回動し、外側ケース１３２から引き出される。これにより、フィルタ収容部１４０Ｌが吸気ダクト部１４Ｃ側へ移動する。この結果、フィルタ収容部１４０Ｌは、フィルタ６０が吸気口１６を覆う閉状態（図１６Ａの位置）から吸気口１６を開放する開状態（図１６Ｂの位置）へ変移する。この開状態では、フィルタ収容部１４０Ｌがガイド板３２に沿って配置される。
【００９１】
また、外側ケース１３２から内側ケース１４０が引き出されると、外側ケース１３２と内側ケース１４０のフィルタ収容部１４０Ｌとの間に前面予備フィルタ７４が展開される。これにより、前面予備フィルタ７４で覆われた予備通気口１５０を介して、吸気ダクト部１４Ｃから吸気口１６に空気が供給される。したがって、発熱体収容部１４Ａに取り込まれる空気量が増加するため、電子部品２４の冷却効率の低下が抑制される。
【００９２】
さらに、前面予備フィルタ７４によって、吸気ダクト部１４Ｃから吸気口１６へ供給される空気中の塵や埃が取り除かれる。したがって、電子部品２４の故障等が抑制される。
【００９３】
次に、制御部１６０は、ステップＳ３５で監視端末１１０（図１０参照）にアラーム情報を送信する。これにより、例えば、監視端末１１０のモニタに、前面予備フィルタ７４が展開された旨のメッセージ等が表示される。
【００９４】
次に、制御部１６０は、ステップＳ３６で温度センサ８８（図９参照）により検出された電子部品２４の温度Ｔを取得する。
【００９５】
次に、制御部１６０は、ステップＳ３７で温度センサ８８により検出された電子部品２４の温度Ｔが閾値ＴＭＡＸを超えたか否かを判定する。そして、電子部品２４の温度Ｔが閾値ＴＭＡＸ以下の場合（Ｔ≦ＴＭＡＸ）は、制御部１６０はステップＳ３６の処理を再び実行する。
【００９６】
一方、電子部品２４の温度Ｔが閾値ＴＭＡＸを超えた場合（Ｔ＞ＴＭＡＸ）は、制御部１６０は、ステップＳ３８で一対の電磁石１５６への通電を切断する。これにより、図１６Ｃに示されるように、スライドロッド１５４がガイドレール１５２に沿って下方へスライドし、前面予備フィルタ７４が予備通気口１５０を閉状態から予備通気口１５０を開放する開状態へ変移する。この結果、予備通気口１５０から吸気口１６へ供給される空気量が増加するため、電子部品２４の冷却効率の低下が抑制される。
【００９７】
次に、制御部１６０は、ステップＳ３９で監視端末１１０にアラーム情報を送信する。これにより、例えば、監視端末１１０のモニタに、予備通気口１５０が開放された旨のメッセージ等が表示される。
【００９８】
なお、ステップＳ３１とステップＳ３２との間には、前述したステップＳ２〜Ｓ５（図１１参照）を追加しても良い。
【００９９】
次に、第２実施形態の効果について説明する。
【０１００】
以上説明したように、本実施形態によれば、フィルタ６０が取り付けられた内側ケース１４０が外側ケース１３２からフィルタ収容部１４０Ｌの厚み方向に引き出されることにより、吸気口１６が開放される。したがって、第１実施形態と同様に、吸気口１６の横のフィルタ６０の収容スペースを省略することができるため、筐体１４を前後方向に小型化することができる。また、本実施形態では、吸気口１６に対してフィルタ６０を横へスライドさせる構成と比較して、発熱体収容部１４Ａの高さ方向の小型化を図ることができる。
【０１０１】
また、内側ケース１４０及びフィルタ６０は、吸気口１６に対して発熱体収容部１４Ａの外側（吸気ダクト部１４Ｃ側）へ移動する。したがって、発熱体収容部１４Ａ内のフィルタ６０の収容スペースを省略することができるため、発熱体収容部１４Ａの高さ方向の小型化を図ることができる。
【０１０２】
また、本実施形態では、外側ケース１３２に対して内側ケース１４０及びフィルタ６０を自重によりフィルタ収容部１４０Ｌの厚み方向に移動させる。したがって、フィルタ６０の移動機構を単純化することができる。
【０１０３】
さらに、フィルタ収容部１４０Ｌは、開状態においてガイド板３２に沿って配置される。したがって、フィルタ収容部１４０Ｌを閉状態から開状態へ変移させても、吸気ダクト部１４Ｃの空気の流れに対する悪影響が小さくなる。
【０１０４】
しかも、外側ケース１３２に対して内側ケース１４０がフィルタ収容部１４０Ｌの厚み方向に移動すると、外側ケース１３２と内側ケース１４０のフィルタ収容部１４０Ｌとの間に前面予備フィルタ７４が展開される。この前面予備フィルタ７４によって、吸気ダクト部１４Ｃから吸気口１６へ供給される空気中の塵や埃等が除去される。したがって、電子部品２４の故障等を抑制することができる。
【０１０５】
また、一対の電磁石１５６に対する通電が切断されると、前面予備フィルタ７４の上端部が取り付けられたスライドロッド１５４が自重によりガイドレール１５２に沿って吸気ダクト部１４Ｃ側へスライドする。これにより、前面予備フィルタ７４が予備通気口１５０を覆う閉状態から予備通気口１５０を開放する開状態へ変移する。したがって、前面予備フィルタ７４が目詰まりしても、電子部品２４の冷却効率の低下を低減することができる。
【０１０６】
また、内側ケース１４０は、吸気ダクト部１４Ｃを筐体１４の幅方向に仕切る一対の側壁部１４０Ｓを有する。したがって、本実施形態では、第１実施形態における側面予備フィルタ７６（図６参照）を省略することができる。
【０１０７】
次に、第３実施形態について説明する。なお、第１,第２実施形態と同じ構成のものには同符号を付して説明を省略する。
【０１０８】
図１８に示されるように、第３実施形態に係るフィルタユニット１７０では、内側ケース１７２がフィルタ収容部１７２Ｌの厚み方向（矢印Ｈ方向）にスライドすることにより外側ケース１３２から引き出される。これにより、フィルタ収容部１７２Ｌが吸気ダクト部１４Ｃ側へ移動する。この結果、フィルタ収容部１７２Ｌは、フィルタ６０が吸気口１６を覆う閉状態（図１９Ａの位置）から吸気口１６を開放する開状態（図１９Ｂ及び図１９Ｃの位置）へ変移する。
【０１０９】
具体的には、内側ケース１７２は、底壁部を形成するフィルタ収容部１７２Ｌと、フィルタ収容部１７２Ｌからケース収容口１３６へ延出すると共に筐体１４の幅方向に対向する一対の側壁部１７２Ｓを有する。この一対の側壁部１７２Ｓの前端部及び後端部には、スライドピン１７４がそれぞれ設けられる。なお、スライドピン１７４は、スライド部材の一例である。
【０１１０】
一方、外側ケース１３２の側壁部１３２Ｓの前端部及び後端部には、上下方向に延びるガイド溝１７６がそれぞれ形成される。これらのガイド溝１７６には、スライドピン１７４がそれぞれ挿入される。そして、スライドピン１７４が、ガイド溝１７６に沿って下方へスライドすることにより、外側ケース１３２に対して内側ケース１７２がフィルタ収容部１７２Ｌの厚み方向に引き出される。
【０１１１】
また、内側ケース１７２における一対の側壁部１７２Ｓの前端部の間及び後端部の間には、予備通気口１７８，１８０がそれぞれ形成される。また、内側ケース１７２には、予備通気口１７８，１８０をそれぞれ覆う前面予備フィルタ７４及び後面予備フィルタ１８２が取り付けられる。各前面予備フィルタ７４及び後面予備フィルタ１８２は、網目状に形成されると共に蛇腹状に形成される。これらの各前面予備フィルタ７４及び後面予備フィルタ１８２は、上記第２実施形態と同様に、予備通気口１７８，１８０を覆う閉状態（図１９Ｂの状態）から予備通気口１７８，１８０を開放する開状態（図１９Ｃの状態）へ変移する。
【０１１２】
ここで、図１９Ａには、フィルタユニット１７０の初期状態が示される。この状態から、例えば、図１９Ｂに矢印Ｋで示されるように、制御部１６０がロックモータ８２を作動させて回転ロッド８４を所定量回転させると、保持ピン８６Ａと内側ケース１７２との係合状態が解除される。
【０１１３】
これにより、内側ケース１７２のスライドピン１７４がガイド溝１７６に沿って自重により下方へスライドし、外側ケース１３２から内側ケース１７２が下方へ引き出される。つまり、内側ケース１７２が、フィルタ収容部１７２Ｌの厚み方向において発熱体収容部１４Ａの外側（吸気ダクト部１４Ｃ側）へ移動する。これにより、フィルタ収容部１７２Ｌは、フィルタ６０が吸気口１６を覆う閉状態（図１９Ａの位置）から吸気口１６を開放する開状態（図１９Ｂ及び図１９Ｃの位置）へ変移する。
【０１１４】
また、外側ケース１３２から内側ケース１７２が引き出されると、前面予備フィルタ７４及び後面予備フィルタ１８２がそれぞれ露出する。つまり、外側ケース１３２から内側ケース１７２が引き出されると、外側ケース１３２と内側ケース１７２のフィルタ収容部１７２Ｌとの間に前面予備フィルタ７４及び後面予備フィルタ１８２が展開される。これにより、筐体１４の前面側及び後面側に形成された図示しない外気導入口から、前面予備フィルタ７４及び後面予備フィルタ１８２で覆われた予備通気口１７８，１８０を介して吸気口１６へ空気が供給される。したがって、電子部品２４の冷却効率の低下が抑制される。
【０１１５】
さらに、前面予備フィルタ７４及び後面予備フィルタ１８２によって、予備通気口１７８，１８０から吸気口１６へ供給される空気中の塵や埃が取り除かれる。したがって、電子部品２４の故障等が抑制される。
【０１１６】
また、図１９Ｃに示されるように、制御部１６０が一対の電磁石１５６への通電を切断すると、スライドロッド１５４がガイドレール１５２に沿って下方へスライドする。これにより、前面予備フィルタ７４及び後面予備フィルタ１８２が予備通気口１７８，１８０を覆う閉状態（図１９Ｂの状態）から予備通気口１７８，１８０を開放する開状態（図１９Ｃの状態）へ変移する。この結果、予備通気口１７８，１８０から吸気口１６へ供給される空気量が増加するため、電子部品２４の冷却効率の低下が抑制される。
【０１１７】
次に、第３実施形態の効果について説明する。
【０１１８】
本実施形態によれば、フィルタ６０が取り付けられた内側ケース１７２が外側ケース１３２からフィルタ収容部１７２Ｌの厚み方向に引き出されることにより、吸気口１６が開放される。したがって、第１，第２実施形態と同様に、吸気口１６の横のフィルタ６０の収容スペースを省略することができるため、筐体１４を前後方向に小型化することができる。また、本実施形態では、吸気口１６に対してフィルタ６０を横へスライドさせる構成と比較して、発熱体収容部１４Ａの高さ方向の小型化を図ることができる。
【０１１９】
また、内側ケース１７２及びフィルタ６０は、吸気口１６に対して発熱体収容部１４Ａの外側（吸気ダクト部１４Ｃ側）へ移動する。したがって、発熱体収容部１４Ａ内のフィルタ６０の収容スペースを省略することができるため、発熱体収容部１４Ａを高さ方向に小型化することができる。
【０１２０】
さらに、本実施形態では、外側ケース１３２に対して内側ケース１７２及びフィルタ６０を自重によりフィルタ収容部１７２Ｌの厚み方向に移動させる。したがって、フィルタ６０の移動機構を単純化することができる。
【０１２１】
また、本実施形態では、内側ケース１７２の前側及び後側の予備通気口１７８，１８０から吸気口１６へ空気を供給することができる。
【０１２２】
次に、上記第１〜第３実施形態の変形例について説明する。なお、以下では、第１実施形態を例に各種の変形例について説明するが、これらの変形例は第２，第３実施形態にも適宜適用可能である。
【０１２３】
上記第１実施形態では、図６に示されるように、ファンケース４２ごとにフィルタユニット５０を設けた例を示したが、図２０に示されるように、複数のファンケース４２に亘る１つのフィルタユニット１９０を設けても良い。
【０１２４】
また、上記第１実施形態では、第１フレーム５４に対して第２フレーム５８を自重により下方へ回動させた例を示したが、第１フレーム５４に対する第２フレーム５８の移動方法は適宜変更可能である。例えば、図２１Ａ及び図２１Ｂに示されるように、第２フレーム５８とガイド板３２とを連結する第１弾性体１９２の弾性力（引張力）により第１フレーム５４に対して第２フレーム５８を下方へ回動させても良い。
【０１２５】
これと同様に、図２１Ｃに示されるように、第１フレーム５４と第２フレーム５８とを連結する第２弾性体１９４の弾性力（引張力）によって、ファンケース４２に対して第１フレーム５４を回動させても良い。これにより、第１フレーム５４及び第２フレーム５８をより確実に回動させることができる。なお、第１弾性体１９２及び第２弾性体１９４は、例えば、コイルスプリングで形成される。
【０１２６】
なお、上記第１実施形態におけるフィルタ収容部５８Ｌの厚み方向は、例えば、フィルタ６０の面と交差する方向、吸気口１６の開口方向、または吸気口１６に対する空気の流入方向と捉えることも可能である。
【０１２７】
また、保持部８０は、第１フレーム５４及び第２フレーム５８を閉状態に保持可能であれば良く、その構造は適宜変更可能である。また、第１フレーム５４及び第２フレーム５８は、例えば、モータ等で回動させても良い。
【０１２８】
また、第２フレーム５８は、第１フレーム５４から分離して落下させても良い。これにと同様に、第１フレーム５４は、ファンケース４２から分離して落下させても良い。
【０１２９】
また、上記第１実施形態では、第１フレーム５４及び第２フレーム５８の２つのフレームを積層した例を示したが、フレームの積層数は適宜変更可能である。例えば、３つ以上のフレームを積層し、隣接するフレームの間に予備フィルタをそれぞれ収納しても良い。
【０１３０】
例えば、図２２Ａに示されるように、第１実施形態における第１フレーム５４と第２フレーム５８との間に第３フレーム２００を設ける。第３フレーム２００と第２フレーム５８との間には、前面予備フィルタ７４及び側面予備フィルタ７６が収納される。これらの前面予備フィルタ７４及び側面予備フィルタ７６は、第３フレーム２００に対して第２フレーム５８が下方に移動したときに、第３フレーム２００と第２フレーム５８との間に展開される。また、図２２Ｂに示されるように、第３フレーム２００と第１フレーム５４との間には、前面予備フィルタ２０２及び側面予備フィルタ２０４が収納される。これらの前面予備フィルタ２０２及び側面予備フィルタ２０４は、第１フレーム５４に対して第３フレーム２００が下方に移動したときに、第１フレーム５４と第３フレーム２００との間に展開される。このときの第１フレーム５４、第２フレーム５８、及び第３フレーム２００の制御は、次のようになる。
【０１３１】
例えば、図１１において、第２フレーム５８を落下させた後のステップＳ１０とステップ１１との間に以下のステップを追加する。すなわち、制御部９０は、電子部品２４の温度Ｔが閾値ＴＭＡＸを超えたか否かを判定する。そして、電子部品２４の温度Ｔが閾値ＴＭＡＸを超えた場合に、制御部９０は、第１フレーム５４に対して第３フレーム２００を落下させて、第３フレーム２００と第１フレーム５４との間に前面予備フィルタ７４及び側面予備フィルタ７６を展開させる。その後、ステップ１１において、電子部品２４の温度Ｔが閾値ＴＭＡＸを超えた場合には、制御部９０は、第１フレーム５４を落下させる。これにより、展開可能な前面予備フィルタ７４，２０２及び側面予備フィルタ７６，２０４をそれぞれ複数にすることができる。
【０１３２】
また、上記第１実施形態において、第１フレーム５４を省略し、ファンケース４２に第２フレーム５８を取り付けても良い。つまり、ファンケース４２には、フィルタ６０が取り付けられた１つのフレームを取り付けても良い。この場合、例えば、ファンケース４２と、フィルタ６０が取り付けられたフレームとの間に、前面予備フィルタ７４及び一対の側面予備フィルタ７６が収納される。
【０１３３】
また、上記第１実施形態では、第１フレーム５４と第２フレーム５８との間に前面予備フィルタ７４及び一対の側面予備フィルタ７６を収納した例を示したが、前面予備フィルタ７４及び一対の側面予備フィルタ７６は適宜省略可能である。
【０１３４】
また、上記第１実施形態では、ファンケース４２にフィルタユニット５０を取り付けた例を示したが、ファンケース４２とフィルタユニット５０とは別々に筐体１４に取り付けても良い。
【０１３５】
また、上記第１実施形態では、発熱体収容部１４Ａの外側から吸気口１６をフィルタ６０で覆う例を示したが、発熱体収容部１４Ａの内側から吸気口１６をフィルタ６０で覆っても良い。この場合、例えば、フィルタ６０は、吸気口１６に対してフィルタ収容部５８Ｌの厚み方向かつ発熱体収容部１４Ａの内側へ移動する。
【０１３６】
また、上記第１実施形態では、フィルタ収容部５８Ｌの厚み方向を筐体１４の高さ方向（鉛直方向）とした例を示したが、フィルタ収容部５８Ｌの厚み方向は筐体１４の前後方向または幅方向にしても良い。また、フィルタ収容部５８Ｌの厚み方向は、筐体１４の高さ方向に対して傾斜する傾斜方向にしても良い。
【０１３７】
また、上記第１実施形態では、電子部品２４の温度Ｔに基づいて制御部９０が保持部８０等を制御した例を示したが、制御部は、例えば発熱体収容部１４Ａ（筐体１４）内の温度に基づいて保持部８０を制御しても良い。また、例えば、発熱体収容部１４Ａに流量センサを設け、流量センサで検出された発熱体収容部１４Ａの流量に基づいて制御部が保持部８０を制御しても良い。
【０１３８】
また、上記第１実施形態では、筐体１４に冷却ファン４８を設けた例を示したが、冷却ファン４８は適宜省略可能である。
【０１３９】
以上、本願が開示する技術の実施形態について説明したが、本願が開示する技術は上記実施形態に限定されるものでない。また、上記実施形態及び各種の変形例を適宜組み合わせて用いても良いし、本願が開示する技術の要旨を逸脱しない範囲において、種々なる態様で実施し得ることは勿論である。
【０１４０】
なお、以上の実施形態に関し、さらに以下の付記を開示する。
（付記１）
吸気口と、前記吸気口へ空気を供給する吸気ダクト部と、を有する筐体と、
前記吸気口を覆うフィルタを収容するフィルタ収容部と、
を備え、
前記フィルタ収容部は、該フィルタ収容部の厚み方向の移動に伴って前記吸気ダクト部側へ移動することにより前記フィルタが前記吸気口を覆う閉状態から該吸気口を開放する開状態に変移する、
電子機器。
（付記２）
前記筐体は、前記吸気口が形成されると共に発熱体を収容する発熱体収容部を有し、
前記フィルタ収容部は、前記吸気口に対して前記発熱体収容部の外側へ移動して前記開状態となる、
付記１に記載の電子機器。
（付記３）
前記厚み方向は、前記筐体の高さ方向であり、
前記フィルタ収容部は、前記閉状態において前記吸気口を下側から覆う、
付記２に記載の電子機器。
（付記４）
前記フィルタ収容部を前記閉状態に保持する保持部を備え、
前記フィルタ収容部は、前記保持部による前記フィルタ収容部の保持が解除されることに伴って自重により前記厚み方向へ移動する、
付記３に記載の電子機器。
（付記５）
前記発熱体の温度または前記発熱体収容部内の温度を検出する温度検出部と、
前記温度検出部で検出された温度に基づいて前記保持部による前記フィルタ収容部の保持を解除する制御部と、
を備える、
付記４に記載の電子機器。
（付記６）
前記フィルタ収容部の前記厚み方向の移動に伴って前記吸気口と前記フィルタ収容部との間に展開される予備フィルタを備える、
付記１〜付記５の何れか１つに記載の電子機器。
（付記７）
前記吸気口に通じるフレーム開口を有する第１フレームと、
前記フィルタ収容部を有し、前記第１フレームに対して前記厚み方向に移動する第２フレームと、
を備え、
前記予備フィルタは、前記第１フレームと前記第２フレームとの間に収納されると共に、前記第１フレームに対する前記第２フレームの前記厚み方向の移動に伴って前記第１フレームと前記第２フレームとの間に展開される、
付記６に記載の電子機器。
（付記８）
前記第１フレームと前記第２フレームとの間に展開された前記予備フィルタは、前記第１フレームの前記第２フレーム側への移動に伴って前記第１フレームと前記第２フレームとの間に収納される、
付記７に記載の電子機器。
（付記９）
前記第２フレームは、回動軸を介して前記第１フレームに支持され、前記厚み方向に回動する、
付記７または付記８に記載の電子機器。
（付記１０）
前記吸気口に通じるケース開口を有すると共に、前記ケース開口と反対側にケース収容口を有する外側ケースと、
前記フィルタ収容部と、前記フィルタ収容部から前記ケース収容口へ延出する側壁部と、を有し、前記外側ケースに収納され、前記厚み方向に移動して前記ケース収容口から引き出される内側ケースと、
を備え、
前記予備フィルタは、前記側壁部に取り付けられ、前記内側ケースの前記厚み方向の移動に伴って前記外側ケースと前記フィルタ収容部との間に展開される、
付記６に記載の電子機器。
（付記１１）
前記側壁部は、前記ケース開口に通じる予備通気口を有し、
前記予備フィルタは、前記予備通気口を覆う閉状態から該予備通気口を開放する開状態へ変移する、
付記１０に記載に電子機器。
（付記１２）
前記内側ケースは、回動軸を介して前記外側ケースに取り付けられ、前記厚み方向に回動する、
付記１０または付記１１に記載に電子機器。
（付記１３）
前記内側ケースは、スライド部材を介して前記外側ケースに取り付けられ、前記厚み方向にスライドする、
付記１０または付記１１に記載に電子機器。
（付記１４）
前記外側ケースには、前記吸気口から前記筐体内に空気を取り込む冷却ファンが収納される、
付記１０〜付記１３の何れか１つに記載に電子機器。
（付記１５）
前記吸気口から前記筐体内に空気を取り込む冷却ファンを備える、
付記１〜付記１４の何れか１つに記載の電子機器。
（付記１６）
前記フィルタ収容部を挟んで前記吸気口と反対側に設けられ、前記吸気口へ空気を案内するガイド板を備える、
付記１〜付記１５の何れか１つに記載の電子機器。
（付記１７）
前記フィルタ収容部は、前記厚み方向の移動に伴って前記ガイド板に沿って配置される、
付記１６に記載の電子機器。
（付記１８）
筐体の吸気口に通じるフレーム開口を有する第１フレームと、
前記吸気口を覆うフィルタを収容するフィルタ収容部を有し、前記第１フレームに対する前記フィルタ収容部の厚み方向の移動に伴って前記フィルタが前記吸気口を覆う閉状態から該吸気口を開放する開状態へ変移する第２フレームと、
前記第１フレームと前記第２フレームとの間に収納され、前記第１フレームに対する前記第２フレームの前記厚み方向の移動に伴って前記第１フレームと前記第２フレームとの間に展開される予備フィルタと、
を備えるフィルタユニット。
（付記１９）
筐体の吸気口に通じるケース開口を有すると共に、前記ケース開口と反対側にケース収容口を有する外側ケースと、
前記吸気口を覆うフィルタを収容するフィルタ収容部と、前記フィルタ収容部から前記ケース収容口へ延出する側壁部と、を有し、前記外側ケースに収納され、前記フィルタ収容部の厚み方向の移動に伴って前記ケース収容口から引き出されて前記フィルタが前記吸気口を覆う閉状態から該吸気口を開放する開状態へ変移する内側ケースと、
前記側壁部に取り付けられ、前記内側ケースの前記厚み方向の移動に伴って前記外側ケースと前記フィルタ収容部との間に展開される予備フィルタと、
を備えるフィルタユニット。
【符号の説明】
【０１４１】
１０      電子機器
１４      筐体
１４Ａ    発熱体収容部
１６      吸気口
２４      電子部品（発熱体の一例）
３２      ガイド板
４８      冷却ファン
５０      フィルタユニット
５４      第１フレーム
５６      フレーム開口
５８      第２フレーム
５８Ｌ    フィルタ収容部
６０      フィルタ
７０      回動軸
７４      前面予備フィルタ（予備フィルタの一例）
７６      側面予備フィルタ（予備フィルタの一例）
８０      保持部
８８      温度センサ（温度検出部の一例）
９０      制御部
１３０    フィルタユニット
１３２    外側ケース
１３４    ケース開口
１３６    ケース収容口
１４０    内側ケース
１４０Ｌ  フィルタ収容部
１４０Ｓ  側壁部
１５０    予備通気口
１６０    制御部
１７０    フィルタユニット
１７２    内側ケース
１７２Ｌ  フィルタ収容部
１７２Ｓ  側壁部
１７４    スライドピン（スライド部材の一例）
１７８    予備通気口
１８０    予備通気口
１８２    後面予備フィルタ（予備フィルタの一例）
【図１】
0006331747.tif 000002
【図２】
0006331747.tif 000003
【図３】
0006331747.tif 000004
【図４】
0006331747.tif 000005
【図５Ａ】
0006331747.tif 000006
【図５Ｂ】
0006331747.tif 000007
【図５Ｃ】
0006331747.tif 000008
【図６】
0006331747.tif 000009
【図７Ａ】
0006331747.tif 000010
【図７Ｂ】
0006331747.tif 000011
【図８Ａ】
0006331747.tif 000012
【図８Ｂ】
0006331747.tif 000013
【図９】
0006331747.tif 000014
【図１０】
0006331747.tif 000015
【図１１】
0006331747.tif 000016
【図１２】
0006331747.tif 000017
【図１３Ａ】
0006331747.tif 000018
【図１３Ｂ】
0006331747.tif 000019
【図１４】
0006331747.tif 000020
【図１５】
0006331747.tif 000021
【図１６Ａ】
0006331747.tif 000022
【図１６Ｂ】
0006331747.tif 000023
【図１６Ｃ】
0006331747.tif 000024
【図１７】
0006331747.tif 000025
【図１８】
0006331747.tif 000026
【図１９Ａ】
0006331747.tif 000027
【図１９Ｂ】
0006331747.tif 000028
【図１９Ｃ】
0006331747.tif 000029
【図２０】
0006331747.tif 000030
【図２１Ａ】
0006331747.tif 000031
【図２１Ｂ】
0006331747.tif 000032
【図２１Ｃ】
0006331747.tif 000033
【図２２Ａ】
0006331747.tif 000034
【図２２Ｂ】
0006331747.tif 000035